(57)【特許請求の範囲】
【請求項１】
タイヤ用材料として使用されるゴム付き織物用の巻き取り装置であって、
着脱可能に配置される回転軸と、
前記回転軸に軸方向に所定の間隔を設けて装着され、トップ反から所定の幅にスリットされたゴム付き織物を巻き付ける複数の巻き取りボックスとを備え、
前記回転軸と前記巻き取りボックスとの間には、前記巻き取りボックスを前記回転軸に対して回転可能とするベアリングと、前記巻き取りボックスを前記回転軸に対して回転不能とするロック機構とが設けられ、
前記ロック機構の解錠、施錠により、前記巻き取りボックスの前記回転軸に対する回転、非回転を制御する
ことを特徴とするゴム付き織物用の巻き取り装置。
【請求項２】
前記巻き取りボックスの幅が、前記所定の幅にスリットされたゴム付き織物の幅より２０〜８０ｍｍ大きい幅に設定されていることを特徴とする請求項１に記載のゴム付き織物用の巻き取り装置。
【請求項３】
前記ロック機構は、
前記巻き取りボックスの両サイド部および前記回転軸の両サイド部に設けられた凹型の差込み口と、
隣接する前記巻き取りボックスの相互に対向する前記差込み口に跨って挿抜される凸型の連結キーと、
前記巻き取りボックスの前記差込み口および前記回転軸の前記差込み口に跨って挿抜される凸型の連結キーと
を備えていることを特徴とする請求項１または請求項２に記載のゴム付き織物用の巻き取り装置。
【請求項４】
前記連結キーに磁石が内蔵されており、
前記磁石により、前記連結キーと前記回転軸とが固定されている
ことを特徴とする請求項３に記載のゴム付き織物用の巻き取り装置。
【請求項５】
前記複数の巻き取りボックスを前記回転軸と共にスライドさせて使用することが可能なスライド装置と組み合わされて使用されることを特徴とする請求項１ないし請求項４のいずれか１項に記載のゴム付き織物用の巻き取り装置。
【発明の詳細な説明】
【技術分野】
【０００１】
本発明は、タイヤ用材料として使用されるゴム付き織物を作製する際に用いられるゴム付き織物用の巻き取り装置に関する。
【背景技術】
【０００２】
タイヤの製造に際しては、様々なサイズのテープ状の繊維コードバンド（ジョイントレスバンド：以下「ＪＬＢ」ともいう）が使用されているが、これらのＪＬＢは、一般に、約１５００ｍｍ程度の幅に作製されたゴム付き織物を巻き取ってトップ反とした後、このトップ反を巻き取り装置にセットして８０〜１００ｍｍ程度の幅にスリットしてＪＬＢ親材とする大割り工程（キャメロンスリッター工程）、ＪＬＢ親材を１０ｍｍ程度の幅にスリットする小割り工程（ＪＬＢスリッター工程）を経て作製される（特許文献１）。
【０００３】
図３は、従来のＪＬＢ親材の巻き取り装置の要部を模式的に示す斜視図であり、図３に示すように、巻き取り装置１は、回転軸２および複数の巻き取りボックス３を備えている。そして、巻き取りボックス３が嵌合穴（四角い穴）３ｂにより回転軸２に係合して回転軸２と共に回転することにより、巻き出されたトップ反から大割りされたＪＬＢ親材が巻き取りボックス３に巻き取られる。
【０００４】
そして、巻き取りボックス３に巻き取られたＪＬＢ親材は、その後、回転軸２から抜き取られ、ＪＬＢスリッターに装着された後、小割りされる。
【先行技術文献】
【特許文献】
【０００５】
【特許文献１】特開２０１０−２６４５１８号公報
【発明の概要】
【発明が解決しようとする課題】
【０００６】
しかしながら、上記したＪＬＢ親材が巻き取られた巻き取りボックスの回転軸からの抜き取りや、巻き取りボックスのＪＬＢスリッターへの装着は人手で行われており、作業者が持ち上げることができる重量を考慮すると、巻き長さを伸ばして生産性の向上を図ることが困難であった。例えば、幅８０ｍｍのＪＬＢ親材では、巻き長さは３００ｍ程度（重量２０ｋｇ）に留まっており、充分に生産性を向上させることができなかった。
【０００７】
また、ＪＬＢ親材をスリットする小割り工程においては、図４に示すように、ＪＬＢスリッターに装着された巻き取りボックス３からＪＬＢ親材を巻き出し、スリットが終了する都度、新しい巻き取りボックスと手作業で交換する（段替え）必要があるため、段替えに長時間を要し、充分に生産性を向上させることができなかった。
【０００８】
そこで、本発明は、大割工程において充分に伸ばした巻き長さでＪＬＢ親材を作製すると共に、小割り工程において段替え時間を短縮して、充分に生産性を向上させることができるゴム付き織物用の巻き取り装置を提供することを課題とする。
【課題を解決するための手段】
【０００９】
本発明者は、鋭意検討の結果、以下に記載する発明により上記課題が解決できることを見出し、本発明を完成するに至った。
【００１０】
請求項１に記載の発明は、
タイヤ用材料として使用されるゴム付き織物用の巻き取り装置であって、
着脱可能に配置される回転軸と、
前記回転軸に軸方向に所定の間隔を設けて装着され、トップ反から所定の幅にスリットされたゴム付き織物を巻き付ける複数の巻き取りボックスとを備え、
前記回転軸と前記巻き取りボックスとの間には、前記巻き取りボックスを前記回転軸に対して回転可能とするベアリングと、前記巻き取りボックスを前記回転軸に対して回転不能とするロック機構とが設けられ、
前記ロック機構の解錠、施錠により、前記巻き取りボックスの前記回転軸に対する回転、非回転を制御する
ことを特徴とするゴム付き織物用の巻き取り装置である。
【００１１】
請求項２に記載の発明は、
前記巻き取りボックスの幅が、前記所定の幅にスリットされたゴム付き織物の幅より２０〜８０ｍｍ大きい幅に設定されていることを特徴とする請求項１に記載のゴム付き織物用の巻き取り装置である。
【００１２】
請求項３に記載の発明は、
前記ロック機構は、
前記巻き取りボックスの両サイド部および前記回転軸の両サイド部に設けられた凹型の差込み口と、
隣接する前記巻き取りボックスの相互に対向する前記差込み口に跨って挿抜される凸型の連結キーと、
前記巻き取りボックスの前記差込み口および前記回転軸の前記差込み口に跨って挿抜される凸型の連結キーと
を備えていることを特徴とする請求項１または請求項２に記載のゴム付き織物用の巻き取り装置である。
【００１３】
請求項４に記載の発明は、
前記連結キーに磁石が内蔵されており、
前記磁石により、前記連結キーと前記回転軸とが固定されている
ことを特徴とする請求項３に記載のゴム付き織物用の巻き取り装置である。
【００１４】
請求項５に記載の発明は、
前記複数の巻き取りボックスを前記回転軸と共にスライドさせて使用することが可能なスライド装置と組み合わされて使用されることを特徴とする請求項１ないし請求項４のいずれか１項に記載のゴム付き織物用の巻き取り装置である。
【発明の効果】
【００１５】
本発明によれば、大割工程において充分に伸ばした巻き長さでＪＬＢ親材を作製すると共に、小割り工程において段替え時間を短縮して、充分に生産性を向上させることができるゴム付き織物用の巻き取り装置を提供することができる。
【図面の簡単な説明】
【００１６】
【図１】本発明の一実施の形態におけるゴム付き織物用の巻き取り装置の要部の斜視図である。
【図２】本発明の一実施の形態における巻き取りボックスの交換方法を説明する斜視図である。
【図３】従来のゴム付き織物用の巻き取り装置の要部の斜視図である。
【図４】従来の巻き取りボックスの交換方法を説明する斜視図である。
【発明を実施するための形態】
【００１７】
以下、実施の形態に基づき、図面を参照しつつ本発明を具体的に説明する。
【００１８】
１．ゴム付き織物用の巻き取り装置の要部の構成
はじめに、ゴム付き織物用の巻き取り装置（以下、単に「巻き取り装置」という。）の要部の構成を説明する。図１は本実施の形態における巻き取り装置の要部の斜視図であり、巻き取り装置は、トップ反をスリットしてＪＬＢ親材を製造するキャメロンスリッターの巻き取り装置として使用される。
【００１９】
図１において、１は巻き取り装置であり、２は回転軸であり、３は巻き取りボックスであり、２ａおよび３ａは差込み口であり、４は連結キーである。
【００２０】
（１）回転軸および巻き取りボックス
巻き取り装置は、回転軸２を備えており、回転軸２には複数の巻き取りボックス３が回転軸２の軸方向に並べられて装着されている。それぞれの巻き取りボックス３には、回転軸２との間に、巻き取りボックス３を回転軸２に対して回転可能とするベアリング（図示省略）が備えられており、後述する非ロック状態の時には、図の双方向の矢印に示すように、回転軸２に対して回転可能となっている。
【００２１】
巻き取りボックス３の幅は、巻き取りボックス３に巻き取られるゴム付き織物（ＪＬＢ親材）の幅より２０〜８０ｍｍ大きく設定されている。
【００２２】
（２）ロック機構
巻き取り装置１は、巻き取りボックス３を回転軸２に対して回転不能および回転可能とするためのロック機構を備えている。ロック機構は、各巻き取りボックス３の両サイド部に形成される凹型の差し込み口３ａと、回転軸２の両サイド部に形成される凹型の差し込み口２ａと、凸型の連結キー４を備えている。
【００２３】
連結キー４は、隣接する巻き取りボックス３の相互に対向する差込み口３ａに跨って挿抜され、また、巻き取りボックス３の差込み口３ａおよび回転軸２の差込み口２ａに跨って挿抜される。これにより、ロック機構による巻き取りボックス３の施錠、解錠が行われて、前記した回転軸２に対する巻き取りボックス３の回転、非回転が制御される。
【００２４】
また、連結キー４には磁石が内蔵されており、差込み口２ａ、３ａに挿入された連結キー４と金属製の回転軸２とが磁力で固定されることにより、回転軸２の回転中に連結キー４が抜け落ちることが防止される。
【００２５】
２．ＪＬＢの製造
次に、ＪＬＢの製造を例に採り、前記した巻き取り装置の使用方法を説明する。図２は本実施の形態の巻き取り装置の巻き取りボックス３の交換方法を説明する斜視図である。なお、図２は模式図であって、本実施の形態の理解を容易にするために寸法を適宜変更している。
【００２６】
（１）ＪＬＢ親材の巻き取り
前記ロック機構により巻き取りボックス３が固定された回転軸２を回転させ、キャメロンスリッターにより、トップ反から所定の幅にスリットされたＪＬＢ親材を各巻き取りボックス３に一斉に巻き付ける。
【００２７】
なお、上記のロック機構による巻き取りボックス３の固定は、以下のように行われる。
【００２８】
先ず、回転軸２に複数個の巻き取りボックス３を軸方向に並べて装着し、連結キー４を差込み口２ａ、３ａに跨るように挿し込む。連結キー４がこのように挿し込まれることにより、ロック機構が作動して巻き取りボックス３が回転軸２に固定され、巻き取りボックス３が回転軸２に連動して回転する。
【００２９】
（２）ＪＬＢ親材の巻き出し
ＪＬＢ親材の巻き取り終了後、ホイストを用いて巻き取りボックス３を回転軸２ごと巻き取り装置から外し、小割り工程に搬送して巻き取りボックス３を回転軸２ごとＪＬＢスリッターの巻き出し装置に装着する。この巻き出し装置には、巻き取りボックス３を回転軸２ごと軸方向にスライドさせるスライド装置が備えられており、巻き出そうとする巻き取りボックス３を巻き出し装置の巻き出し位置に移動させることができる。
【００３０】
次に、巻き出し装置の巻き出し位置に移動した巻き取りボックス３から連結キー４を抜き取る。これにより、巻き取りボックス３が回転軸２から解放されて回転可能となり、ＪＬＢ親材がスリッター装置に巻き出されて行く。
【００３１】
そして、ＪＬＢ親材の巻き出しが全て完了すると、この巻き取りボックス３と隣接する巻き取りボックス３から連結キー４を抜き取ってロックを解錠する。また、回転軸２を図２に示すように矢印方向に移動させることにより、ロックを解錠した巻き取りボックス３を小割り工程の巻き出し位置に位置させてＪＬＢ親材を巻き出す。このようにして巻き取りボックス３から順次ＪＬＢ親材を巻き出す。
【００３２】
このようにして巻き出されたＪＬＢ親材は、ＪＬＢスリッターにて所定の幅にスリットされてＪＬＢが作製される。
【００３３】
３．実施の形態の効果
（１）本実施の形態においては、ホイストを用いて巻き取りボックスを回転軸ごと巻き取り装置から外してＪＬＢスリッターの巻き出し装置に装着するため、ＪＬＢ親材のＪＬＢスリッターへの運搬および装着の作業を人手によらずに行うことができる。このため、大割り工程において、重量の制限が緩和されＪＬＢ親材の巻き長さを長くすることができ、ＪＬＢ親材の入れ替え回数が低減される。また、ＪＬＢジョイント回数が低減される。
【００３４】
（２）そして、本実施の形態においては、巻き取りボックスと回転軸を一体化し、小割り工程において回転軸をスライドさせるだけで巻き取りボックスの入れ替えができるようにしているため、小割り工程における段替え時間が短縮され、生産性が向上する。
【００３５】
（３）また、巻き取りボックスの幅を、巻き付けるゴム付き織物の幅に比べて、２０〜８０ｍｍだけ大きくしている。このため、２０ｍｍに満たないことによる巻き取りボックスからのゴム付き織物のはみ出しを防ぐ一方、８０ｍｍを超えることによる生産性の悪化を防ぐことができる。
【００３６】
（４）また、連結キーが、磁力により回転軸に引き付けられているため、巻き取り中に、連結キーが抜け落ちてロックが解除されることによるトラブルの発生が防止される。
【実施例】
【００３７】
以下、実施例に基づいて、本発明をより具体的に説明する。
【００３８】
１．ＪＬＢの作製
（実施例）
本実施例では、幅１４４０ｍｍ、長さ６００ｍのトップ反を大割り工程で８０ｍｍ幅にスリットして、１８本のＪＬＢ親材を作製した後、このＪＬＢ親材を上記の実施の形態に記載した巻き取りボックスと回転軸とが一体型の巻き取り装置を用いて各巻き取りボックスに６００ｍ巻き取った。
【００３９】
次に、巻き取りボックスに巻き取られたＪＬＢ親材を、回転軸ごとホイストを用いて小割り工程に搬送し、幅１０ｍｍにスリットして、各巻き取りボックスあたり８本のＪＬＢを作製した。ＪＬＢ親材の段替えは、ＪＬＢ親材を巻き取った回転軸をスライドさせて行なった。
【００４０】
（比較例）
実施例と同様のトップ反を大割り工程で実施例と同サイズにスリットしたＪＬＢ親材を巻き取りボックスと回転軸とが別型の従来の巻き取り装置を用いて従来と同様に３００ｍ巻き取った。
【００４１】
次に、巻き取りボックスに巻き取ったＪＬＢ親材を人力で小割り工程に搬送し、幅１０ｍｍにスリットし、ＪＬＢを作製した。ＪＬＢ親材の段替えは、各ボックスのＪＬＢ親材の巻き出しが終了する度毎に人力で使用済みの巻き取りボックスを回転軸から取り外し、ＪＬＢ親材が巻き取られている巻き取りボックスを人力でセットして行なった。
【００４２】
２．生産性の評価
実施例における生産性を、比較例における生産性を１００として評価した。具体的には、実施例および比較例における１時間あたりのＪＬＢ生産長さ（巻取り長さ）を比較することにより評価した。その結果、実施例の生産性は１１５と評価され、実施例を適用することにより、生産性が１５％向上したことが確認された。
【００４３】
以上、本発明を実施の形態に基づいて説明したが、本発明は上記の実施の形態に限定されるものではない。本発明と同一および均等の範囲内において、上記の実施の形態に対して種々の変更を加えることができる。
【符号の説明】
【００４４】
１            巻き取り装置
２            回転軸  
３            巻き取りボックス
２ａ、３ａ    差込み口
３ｂ          嵌合穴
４            連結キー
Ｗ            ＪＬＢ親材
【図１】
0005450684.tif 000002
【図２】
0005450684.tif 000003
【図３】
0005450684.tif 000004
【図４】
0005450684.tif 000005